(57)【要約】【課題】座禅における苦痛を緩和でき、しかも姿勢もよくなる座具を提供する。【解決手段】本発明の座具は、座具本体１と該座具本体１をカバーするカバーとからなるもので、座具本体１は、尻が乗る箇所が狭く、膝の内側に位置する箇所が広くされた台形鏡餅状とされ、頂部平面から下底に向けた面は、緩傾斜面とされ、頂部平面から上底に向けた面および両側に向けた面は、急傾斜面とされている。【選択図】図１
2008289841.tif 000002
【特許請求の範囲】
【請求項１】
座具本体と該座具本体をカバーするカバーとからなる座具であって、
前記座具本体は、尻が乗る箇所が狭く、膝の内側に位置する箇所が広くされた台形鏡餅状とされてなることを特徴する座具。
【請求項２】
座具本体の頂部平面は、幅方向に長軸を有する楕円状とされてなることを特徴とする請求項１記載の座具。
【請求項３】
頂部平面から下底に向けた面は、緩傾斜面とされてなることを特徴とする請求項２記載の座具。
【請求項４】
頂部平面から上底に向けた面および両側に向けた面は、急傾斜面とされてなることを特徴とする請求項２記載の座具。
【請求項５】
座具本体が、骨材部と、該骨材部表面を覆うように設けられた表皮部とからなることを特徴とする請求項１記載の座具。
【請求項６】
座具本体の硬さが異なっていることを特徴とする請求項１記載の座具。
【発明の詳細な説明】
【技術分野】
【０００１】
本発明は座具に関する。さらに詳しくは、人間の持つ自律作用を活性化させて自然と姿勢がよくなる座具に関する。
【背景技術】
【０００２】
古来より、日本においては畳に座ることを生活習慣としてきている。そして、畳に座るときに、正座で座れば背筋が伸び姿勢良く座ることができる。しかしながら、正座では長時間座り続けることはできない。
【０００３】
また、足組みをして座れば、尻や腰が下がるため、自然と背筋が丸くなり、腰や脊椎に負担がかかり、疲労しやすい。
【０００４】
しかるに、姿勢良く長時間座ることが要求される座禅においては、半丸状の座布団（座具）を尻の下に敷き、尻や腰を上げることがなされている。そして、この座具を用いれば、一般的な座布団を用いるよりも腰への負担が軽減される。
【０００５】
しかしながら、人それぞれ身長、体重、肉付の状態が異なるため、均一な座具では、大方の人の負担の軽減とはならず、尻への圧迫感が生じ、長時間座ることは、苦痛と我慢の連続となる。
【発明の開示】
【発明が解決しようとする課題】
【０００６】
本発明はかかる従来技術の課題に鑑みなされたものであって、座禅における苦痛を緩和でき、しかも姿勢もよくなる座具を提供することを主たる目的としている。
【課題を解決するための手段】
【０００７】
本発明の座具は、座具本体と該座具本体をカバーするカバーとからなる座具であって、前記座具本体は、尻が乗る箇所が狭く、膝の内側に位置する箇所が広くされた台形鏡餅状とされてなることを特徴する。
【０００８】
本発明の座具においては、座具本体の頂部平面は、幅方向に長軸を有する楕円状とされてなるのが好ましい。その場合、頂部平面から下底に向けた面は、緩傾斜面とされ、頂部平面から上底に向けた面および両側に向けた面は、急傾斜面とされてなるのがさらに好ましい。
【０００９】
また、本発明の座具においては、座具本体が、骨材部と、該骨材部表面を覆うように設けられた表皮部とからなるのが好ましい。
【００１０】
さらに、本発明の座具においては、座具本体の硬さが異なっているのが好ましい。
【発明の効果】
【００１１】
本発明の座具によれば、自律神経の働きにより背筋が伸びて姿勢がよくなるという優れた効果が得られる。
【００１２】
また、本発明の好ましい形態によれば、尻が乗る部分以外は下り勾配とされているので、骨盤を左右に動かすことができ、骨盤を左右に動かすことにより、腰椎や脊椎が動いて疲労感が和らぎ、治癒力が働き、体がほぐされ、心地よい感じが得られるという優れた効果や、太腿が圧迫されることがないので、脚にしびれがくることがなく、長時間座っていることができるという優れた効果が得られる。
【発明を実施するための最良の形態】
【００１３】
以下、添付図面を参照しながら本発明を実施形態に基づいて説明するが、本発明はかかる実施形態のみに限定されるものではない。
【００１４】
座具は、座具本体１と、座具本体１をカバーするカバーとから構成されている。
【００１５】
カバーは、布やビニールなど従来より座布団の表皮に用いられているものを好適に用いることができる。
【００１６】
座具本体１の形状は、図１〜図６に示すように、尻が乗る箇所が狭く、膝の内側に位置する箇所が広くされ、角が丸みを帯びた台形鏡餅状とされている。以下、狭い辺を上底といい、広い辺を下底ということにする。ここで、上底の長さは３５ｃｍ〜４０ｃｍ程度とされ、下底の長さは４０ｃｍ〜４５ｃｍ程度とされている。
【００１７】
鏡餅の頂部平面１ａに相当する箇所は、図１に点線で示すように、座具では尻が乗る箇所に位置させられ、またその形状は長軸が上底に平行な楕円形とされている。頂部平面１ａの高さは、６ｃｍ〜８ｃｍ程度されている。楕円の長軸の位置は、上底からほぼ１／３のところに位置させられ、その長さは、その位置における台形の幅の６割〜７割程度とされている。また、楕円の短径の長さは、台形の高さの２割〜３割程度とされている。
【００１８】
頂部平面１ａの後側、つまり上底側は急傾斜の凸曲面とされ、頂部平面１ａの前側、つまり下底側は緩傾斜の凸曲面とされ、両側は急傾斜の凸曲面とされている。
【００１９】
頂部平面１ａの前側の緩傾斜の凸曲面の幅、つまり前後方向の長さは、台形の高さの３割〜４割程度とされている。緩傾斜の角度は、頂部平面１ａに尻が乗った状態で太腿内側が座具表面と接触しないように調整されている。なお、頂部平面１ａの前側は、緩傾斜の凸曲面の前端部は急傾斜の凸曲面とされている。
【００２０】
座具本体１の材質は、例えば合成樹脂（例えば発泡ウレタン）とされ、その硬さは、硬、中、軟の三種類とされている。このように硬さを異なるものを用意するのは、人それぞれが体格、体重、肉付が異なっているので、それに対応できるようにするためである。また、同一人であっても、座具の硬さ程度を変えることにより、気分転換を図ることができることも考慮するためである。例えば、硬い座具に座れば、緊張感が走って能率が上がり、中程度の硬さの座具に座れば、思考をしながら仕事をすることができ、軟らかい座具に座れば、ゆったりとした気分で仕事ができる。
【００２１】
ここで、「硬」とは、ショア硬さが９０-９５度の範囲にあるものをいい、座具に通常の成人（体重６０ｋｇ）が尻を乗せた場合の沈下量が、２７ｍｍ程度のものをいい、「中」とは、ショア硬さが８０-８５度の範囲にあるものをいい、座具に通常の成人（体重６０ｋｇ）が尻を乗せた場合の沈下量が、３０ｍｍ程度のものをいい、「軟」とは、ショア硬さが７０-７５度の範囲にあるものをいい、座具に通常の成人（体重６０ｋｇ）が尻を乗せた場合の沈下量が、３４ｍｍ程度のものをいう。
【００２２】
座具本体１は一体物とされてもよいが、図７に示すように、機械的強度を維持する骨材部（芯材）１１と、骨材部１１表面を覆うように設けられ表皮部１２とから構成するようにされてもよい。その場合、座具本体１の硬さ程度は、表皮部１２により調整される。
【００２３】
骨材部１１の材質は、硬質合成樹脂や木材とされる。
【００２４】
しかして、本実施形態の座具によれば、次のような効果が得られる。
【００２５】
効果１：尻が乗る部分以外は下り勾配とされているので、自律神経の働きにより背筋が伸びて姿勢がよくなる。
【００２６】
効果２：尻が乗る部分以外は下り勾配とされているので、骨盤を左右に動かすことができ、骨盤を左右に動かすことにより、腰椎や脊椎が動いて疲労感が和らぎ、治癒力が働き、体がほぐされ、心地よい感じが得られる。
【００２７】
効果３：太腿が圧迫されることがないので、脚にしびれがくることがなく、長時間座っていることができる。長時間座ることが要求される座禅に好適である。
【００２８】
以上、本発明を実施形態に基づいて説明してきたが、本発明はかかる実施形態のみに限定されるものではなく、種々改変が可能である。例えば、本実施形態では座具として説明されているが、座具のみの適用に限定されるものではなく、座具を背骨の下に敷いて寝ることにより、背骨の屈伸運動用具としても使用できる。
【産業上の利用可能性】
【００２９】
本発明は、座具に適用できる。
【図面の簡単な説明】
【００３０】
【図１】本発明の一実施形態に係る座具本体の一例の平面図である。
【図２】同正面図である。
【図３】同側面図である。
【図４】図１のＩＶ−ＩＶ線断面図である。
【図５】同Ｖ−Ｖ線断面図である。
【図６】同ＶＩ−ＶＩ線断面図である。
【図７】本発明の一実施形態に係る座具本体の他の例の断面図である。
【符号の説明】
【００３１】
１    座具本体
１ａ  頂部平面
１１    骨材部（芯材）
１２    表皮部
【図１】
2008289841.tif 000003
【図２】
2008289841.tif 000004
【図３】
2008289841.tif 000005
【図４】
2008289841.tif 000006
【図５】
2008289841.tif 000007
【図６】
2008289841.tif 000008
【図７】
2008289841.tif 000009